(57)【特許請求の範囲】
【請求項１】
通信実行中の基地局とは通信能力が異なる基地局をハンドオフ先候補基地局とする候補基地局通知を、移動端末が前記通信を実行しているハンドオフ元基地局に前記移動端末から送信するステップと、
前記候補基地局通知に基づいて、前記ハンドオフ元基地局との間において設定されているハンドオフ元通信設定を、前記ハンドオフ元基地局及びすべての前記ハンドオフ先候補基地局がサポートする前記通信能力に応じた通信設定に変更するステップと
を備える通信方法。
【請求項２】
前記通信能力に対応した通信設定を示す通信設定構成情報を複数決定するステップをさらに備え、
前記変更するステップでは、前記候補基地局通知を受信した場合、前記ハンドオフ元基地局及びすべての前記ハンドオフ先候補基地局をサポートする前記通信設定構成情報に変更する請求項１に記載の通信方法。
【請求項３】
前記通信設定構成情報は、前記移動端末がハンドオフ元基地局との通信を開始する前もしくは開始する際に決定される請求項２に記載の通信方法。
【請求項４】
前記移動端末が、前記通信設定への変更を拒否するステップと、
前記移動端末が前記変更を拒否した場合、前記移動端末が前記ハンドオフ先候補基地局にハンドオフすることを拒否するステップと
をさらに備える請求項１乃至３の何れか一項に記載の通信方法。
【請求項５】
通信実行中の基地局とは通信能力が異なる基地局をハンドオフ先候補基地局とする候補基地局通知を、前記通信を実行しているハンドオフ元基地局に送信する候補基地局通知送信部と、
前記ハンドオフ元基地局及びすべての前記ハンドオフ先候補基地局がサポートする前記通信能力に応じた通信設定への変更を要求する通信設定変更要求を前記ハンドオフ元基地局から受信する要求受信部と、
前記要求受信部が受信した前記通信設定変更要求に基づいて、前記ハンドオフ元基地局との間において設定されているハンドオフ元通信設定を、前記通信設定変更要求に対応する通信設定に変更する通信設定実行部と
を備える移動端末。
【請求項６】
前記通信能力に対応した通信設定を示す通信設定構成情報を複数記憶する通信設定記憶部をさらに備え、
前記通信設定実行部は、前記候補基地局通知を受信した場合、前記通信設定記憶部に記憶されている前記通信設定構成情報に基づいて、前記ハンドオフ元基地局及びすべての前記ハンドオフ先候補基地局をサポートする前記通信設定構成情報に変更する請求項５に記載の移動端末。
【請求項７】
前記ハンドオフ元基地局と前記通信能力が異なる基地局が前記ハンドオフ先候補基地局に含まれているか否かを判定する基地局判定部をさらに備え、
前記通信設定実行部は、前記基地局判定部によって、前記ハンドオフ元基地局と前記通信能力が異なる基地局が前記ハンドオフ先候補基地局に含まれていないと判定された場合、前記ハンドオフ元基地局及びすべての前記ハンドオフ先候補基地局に応じた前記通信設定を前記ハンドオフ元通信設定に戻す請求項５または６に記載の移動端末。
【請求項８】
通信実行中の基地局とは通信能力が異なる基地局であるハンドオフ先候補基地局がサポートする前記通信能力に応じた通信設定への変更を要求する通信設定変更要求を、通信を実行しているハンドオフ元基地局から受信する要求受信部と、
前記要求受信部が受信した前記通信設定変更要求に基づいて、前記通信設定変更要求に対応する通信設定への変更ができるか否かを判定するハンドオフ判定部と、
前記ハンドオフ判定部によって前記変更ができないと判定された場合、前記通信設定変更要求に対応する前記通信設定への変更ができないことを示す変更拒否通知を前記ハンドオフ元基地局に送信する変更拒否通知送信部と
を備える移動端末。
【請求項９】
前記ハンドオフ判定部によって前記変更ができないと判定された場合、前記ハンドオフ先候補基地局をハンドオフ先のサーチ対象から除外するハンドオフ実行部と
をさらに備える請求項８に記載の移動端末。
【請求項１０】
通信実行中の基地局とは通信能力が異なる基地局をハンドオフ先候補基地局とする候補基地局通知を、前記通信を実行している移動端末から受信する候補基地局通知受信部と、
前記候補基地局通知受信部が受信した前記候補基地局通知に基づいて、前記移動端末との間において設定されているハンドオフ元通信設定を、ハンドオフ元基地局及びすべての前記ハンドオフ先候補基地局がサポートする前記通信能力に応じた通信設定に変更する通信設定実行部と
を備える基地局。
【請求項１１】
前記通信能力に対応した通信設定を示す通信設定構成情報を複数記憶する通信設定記憶部をさらに備え、
前記通信設定実行部は、前記候補基地局通知を受信した場合、前記通信設定記憶部に記憶されている前記通信設定構成情報に基づいて、前記ハンドオフ元基地局及びすべての前記ハンドオフ先候補基地局をサポートする前記通信設定構成情報に変更する請求項１０に記載の基地局。
【請求項１２】
前記通信能力が異なる基地局が前記ハンドオフ先候補基地局に含まれているか否かを判定する基地局判定部をさらに備え、
前記通信設定実行部は、前記基地局判定部によって、前記通信能力が異なる基地局が前記ハンドオフ先候補基地局に含まれていないと判定された場合、前記ハンドオフ元基地局及びすべての前記ハンドオフ先候補基地局に応じた前記通信設定を前記ハンドオフ元通信設定に戻す請求項１０または１１に記載の基地局。
【請求項１３】
前記ハンドオフ先候補基地局がサポートする前記通信能力に応じた通信設定への変更ができないことを示す変更拒否通知を前記移動端末から受信する変更拒否通知受信部と、
前記変更拒否受信部が前記変更拒否通知を受信した場合、前記移動端末の前記ハンドオフ先候補基地局へのハンドオフを拒否するハンドオフ拒否部と
をさらに備える請求項１０乃至１２の何れか一項に記載の基地局。
【発明の詳細な説明】
【技術分野】
【０００１】
本発明は、データ通信に係る通信能力の異なる装置が混在する移動体通信システムにおいて用いられる通信方法、移動端末及び基地局に関する。
【背景技術】
【０００２】
ＣＤＭＡ（code division multiple access）方式を用いた移動体通信システムでは、データ通信の方式として、通信能力の異なる複数の方式が導入されている。
【０００３】
例えば、ｃｄｍａ２０００では、データ通信の方式として、上り方向：１５３．６ｋｂｐｓ、下り方向：約２．４Ｍｂｐｓのデータレートを実現する1x EV-DO Rev.0（以下、“Ｒｅｖ．０”と適宜省略する）が規定されている。
【０００４】
また、Ｒｅｖ．０をさらに高速化し、上り方向：約１．８Ｍｂｐｓ、下り方向：約３．１Ｍｂｐｓのデータレートを実現する1x EV-DO Rev.A（以下、“Ｒｅｖ．Ａ”と適宜省略する）も規定されている。Ｒｅｖ．Ａは、Ｒｅｖ．０と比較すると、上述したデータレートの高速化に加え、ＱｏＳ制御が充実していることが特徴である。
【０００５】
実際に稼動している移動体通信システムでは、Ｒｅｖ．Ａをサポートする装置（基地局及び移動端末など）と、Ｒｅｖ．０をサポートする装置とが混在し得るため、ハンドオフ先のデータ通信の方式が異なる場合の対応を考慮する必要がある。
【０００６】
そこで、このような対応の一例として、基地局と移動端末との間に設定されたＰＰＰセッションを維持したまま、ハンドオフする方法が開示されている（例えば、特許文献１）。
【特許文献１】特表２００４−５１５９８６号公報（第１４−１６頁、第５−６図）
【発明の開示】
【発明が解決しようとする課題】
【０００７】
ところで、Ｒｅｖ．０では、ＱｏＳレベルなどの通信設定の内容を通信中に変更することができない。
【０００８】
このため、Ｒｅｖ．Ａにしたがってデータ通信を実行している移動端末がＰＰＰセッションを維持したままＲｅｖ．０のみをサポートする基地局へのハンドオフを実行したとしても、一度実行中の通信を切断し、通信設定をやり直さなければならない。すなわち、ハンドオフ時の通信の切断時間が長くなるといった問題があった。
【０００９】
そこで、本発明は、このような状況に鑑みてなされたものであり、データ通信に係る通信能力の異なる装置が混在する場合において、ハンドオフ時の通信の切断時間を短縮することができる通信方法、移動端末及び基地局を提供することを目的とする。
【課題を解決するための手段】
【００１０】
上述した問題を解決するため、本発明は、次のような特徴を有している。まず、本発明の第１の特徴は、通信実行中の基地局とは通信能力が異なる基地局をハンドオフ先候補基地局とする候補基地局通知を、移動端末が前記通信を実行しているハンドオフ元基地局に前記移動端末から送信するステップと、前記候補基地局通知に基づいて、前記移動端末が通信を実行しているハンドオフ元基地局との間において設定されているハンドオフ元通信設定を、前記ハンドオフ元基地局及びすべての前記ハンドオフ先候補基地局がサポートする前記通信能力に応じた通信設定に変更するステップとを備える通信方法であることを要旨とする。
【００１１】
本発明の第２の特徴は、本発明の第１の特徴に係り、前記通信能力に対応した通信設定を示す通信設定構成情報を複数決定するステップをさらに備え、前記変更するステップでは、前記候補基地局通知を受信した場合、前記ハンドオフ元基地局及びすべての前記ハンドオフ先候補基地局をサポートする前記通信設定構成情報に変更することを要旨とする。
【００１２】
本発明の第３の特徴は、本発明の第１または第２の特徴に係り、前記通信設定構成情報は、前記移動端末がハンドオフ元基地局との通信を開始前もしくは開始する際に決定されることを要旨とする。
【００１３】
本発明の第４の特徴は、本発明の第１乃至第３の特徴に係り、前記通信設定への変更を拒否するステップと、前記移動端末が前記変更を拒否した場合、前記移動端末が前記ハンドオフ先候補基地局にハンドオフすることを拒否するステップとをさらに備えることを要旨とする。
【００１４】
本発明の第５の特徴は、通信実行中の基地局とは通信能力（例えば、ＱｏＳレベル）が異なる基地局をハンドオフ先候補基地局（例えば、基地局２００Ａ）とする候補基地局通知（RouteUpdateメッセージ）を、前記通信を実行しているハンドオフ元基地局（例えば、基地局１００Ａ）に送信する候補基地局通知送信部（データ通信部３２１）と、前記ハンドオフ元基地局及びすべての前記ハンドオフ先候補基地局がサポートする前記通信能力に応じた通信設定（例えば、Ｒｅｖ．０）への変更を要求する通信設定変更要求（T-CH Assignmentメッセージ）を前記ハンドオフ元基地局から受信する要求受信部（データ通信部３２１）と、前記要求受信部が受信した前記通信設定変更要求に基づいて、前記ハンドオフ元基地局との間において設定されているハンドオフ元通信設定を、前記通信設定変更要求に対応する通信設定に変更する通信設定実行部（通信設定実行部３２５）とを備える移動端末（移動端末３００）であることを要旨とする。
【００１５】
本発明の第６の特徴は、本発明の第５の特徴に係り、前記通信能力に対応した通信設定を示す通信設定構成情報（Configuration）を複数記憶する通信設定記憶部（通信設定記憶部３３１）をさらに備え、前記通信設定実行部は、前記候補基地局通知を受信した場合、前記通信設定記憶部に記憶されている前記通信設定構成情報に基づいて、前記ハンドオフ元基地局及び前記ハンドオフ先候補基地局をサポートする前記通信設定構成情報に変更することを要旨とする。
【００１６】
本発明の第７の特徴は、本発明の第５または第６の特徴に係り、前記ハンドオフ元基地局と前記通信能力が異なる基地局が前記ハンドオフ先候補基地局に含まれているか否かを判定する基地局判定部（ハンドオフ判定部３２３）をさらに備え、前記通信設定実行部は、前記基地局判定部によって、前記ハンドオフ元基地局と前記通信能力が異なる基地局が前記ハンドオフ先候補基地局に含まれていないと判定された場合、前記ハンドオフ元基地局及びすべての前記ハンドオフ先候補基地局に応じた通信設定を前記ハンドオフ元通信設定に戻すこと要旨とする。
【００１７】
本発明の第８の特徴は、通信実行中の基地局とは通信能力が異なる基地局であるハンドオフ先候補基地局がサポートする前記通信能力に応じた通信設定への変更を要求する通信設定変更要求を、通信を実行しているハンドオフ元基地局から受信する要求受信部（データ通信部３２１）と、前記要求受信部が受信した前記通信設定変更要求に基づいて、前記通信設定変更要求に対応する通信設定への変更ができるか否かを判定するハンドオフ判定部（ハンドオフ判定部３２３）と、前記ハンドオフ判定部によって前記変更ができないと判定された場合、前記通信設定変更要求に対応する通信設定への変更ができないことを示す変更拒否通知（Attribute Update Rejectメッセージ）を前記ハンドオフ元基地局に送信する変更拒否通知送信部とを備える移動端末（移動端末３９９）であること要旨とする。
【００１８】
本発明の第９の特徴は、本発明の第８の特徴に係り、前記要求受信部が受信した前記通信設定変更要求に基づいて、前記通信設定への変更ができるか否かを判定するハンドオフ判定部と、前記ハンドオフ判定部によって前記変更ができないと判定された場合、前記ハンドオフ先候補基地局をハンドオフ先のサーチ対象から除外するハンドオフ実行部とをさらに備えることを要旨とする。
【００１９】
本発明の第１０の特徴は、通信実行中の基地局とは通信能力が異なる基地局をハンドオフ先候補基地局（例えば、基地局２００Ａ）とする候補基地局通知を、前記通信を実行している移動端末から受信する候補基地局通知受信部（データ通信部１２１）と、前記候補基地局通知受信部が受信した前記候補基地局通知に基づいて、前記移動端末との間において設定されているハンドオフ元通信設定を、ハンドオフ元基地局及びすべての前記ハンドオフ先候補基地局がサポートする前記通信能力に応じた通信設定に変更する通信設定実行部（通信設定実行部１２５）とを備える基地局（例えば、基地局１００Ａ）であることを要旨とする。
【００２０】
本発明の第１１の特徴は、本発明の第１０の特徴に係り、前記通信能力に対応した通信設定を示す通信設定構成情報を複数記憶する通信設定記憶部（通信設定記憶部１３１）をさらに備え、前記通信設定実行部は、前記候補基地局通知を受信した場合、前記通信設定記憶部に記憶されている前記通信設定構成情報に基づいて、前記ハンドオフ元基地局及び前記ハンドオフ先候補基地局をサポートする前記通信設定構成情報に変更することを要旨とする。
【００２１】
本発明の第１２の特徴は、本発明の第１０または第１１の特徴に係り、前記通信能力が異なる基地局が前記ハンドオフ先候補基地局に含まれているか否かを判定する基地局判定部（ハンドオフ判定部１２３）をさらに備え、前記通信設定実行部は、前記基地局判定部によって、前記通信能力が異なる基地局が前記ハンドオフ先候補基地局に含まれていないと判定された場合、前記ハンドオフ元基地局及びすべての前記ハンドオフ先候補基地局に応じた前記通信設定を前記ハンドオフ元通信設定に戻すことを要旨とする。
【００２２】
本発明の第１３の特徴は、本発明の第１０乃至第１２の特徴に係り、すべての前記ハンドオフ先候補基地局がサポートする前記通信能力に応じた通信設定への変更ができないことを示す変更拒否通知を前記移動端末から受信する変更拒否通知受信部（データ通信部１２１）と、前記変更拒否受信部が前記変更拒否通知を受信した場合、前記移動端末の前記ハンドオフ先候補基地局へのハンドオフを拒否するハンドオフ拒否部（ハンドオフ実行部１２７）とをさらに備えることを要旨とする。
【発明の効果】
【００２３】
本発明の特徴によれば、データ通信に係る通信能力の異なる装置が混在する場合において、ハンドオフ時の通信の切断時間を短縮することができる通信方法、移動端末及び基地局を提供することができる。
【発明を実施するための最良の形態】
【００２４】
次に、本発明の実施形態について説明する。なお、以下の図面の記載において、同一または類似の部分には、同一または類似の符号を付している。ただし、図面は模式的なものであり、各寸法の比率などは現実のものとは異なることに留意すべきである。
【００２５】
したがって、具体的な寸法などは以下の説明を参酌して判断すべきものである。また、図面相互間においても互いの寸法の関係や比率が異なる部分が含まれていることは勿論である。
【００２６】
（移動体通信システムの全体概略構成）
図１は、本実施形態に係る移動体通信システムの全体概略構成図である。図１に示すように、移動体通信システム１０は、複数の基地局（基地局１００Ａ，１００Ｂ，２００Ａ，２００Ｂ）と、複数の移動端末（移動端末３００，３９９）とによって構成される。なお、移動体通信システム１０を構成する基地局及び移動端末の数は、図１に示した数に限定されるものではない。
【００２７】
移動体通信システム１０は、ＣＤＭＡ２０００方式にしたがった移動体通信システムであり、データ通信の方式として、通信能力の異なる複数の方式が導入されている。
【００２８】
具体的には、上り方向：１５３．６ｋｂｐｓ、下り方向：約２．４Ｍｂｐｓのデータレートを実現する1x EV-DO Rev.0（Ｒｅｖ．０）と、上り方向：約１．８Ｍｂｐｓ、下り方向：約３．１Ｍｂｐｓのデータレートを実現する1x EV-DO Rev.A（Ｒｅｖ．Ａ）とが導入されている。Ｒｅｖ．Ａは、Ｒｅｖ．０と比較すると、上述したデータレートの高速化に加え、ＱｏＳ制御などが充実していることが特徴である。
【００２９】
基地局１００Ａ，１００Ｂは、Ｒｅｖ．０及びＲｅｖ．Ａに対応した基地局である。基地局１００Ａ，１００Ｂは、それぞれセルＣ１００Ａ，Ｃ１００Ｂを形成する。
【００３０】
基地局２００Ａ，２００Ｂは、Ｒｅｖ．０のみに対応した基地局である。基地局２００Ａ，２００Ｂは、それぞれセルＣ２００Ａ，Ｃ２００Ｂを形成する。
【００３１】
移動端末３００は、Ｒｅｖ．０及びＲｅｖ．Ａに対応した移動端末である。移動端末３００は、基地局１００Ａ，１００Ｂ、及び基地局２００Ａ，２００Ｂと通信（データ通信）を実行することができる。
【００３２】
移動端末３９９は、Ｒｅｖ．Ａのみに対応した移動端末である。移動端末３９９は、基地局１００Ａ，１００Ｂと通信（データ通信）を実行することができるが、基地局２００Ａ，２００Ｂとは通信を実行することができない。
【００３３】
（移動体通信システムの機能ブロック構成）
次に、移動体通信システム１０を構成する基地局１００Ａ、移動端末３００及び移動端末３９９の機能ブロック構成について説明する。
【００３４】
なお、以下、本発明との関連がある部分について主に説明する。したがって、基地局１００Ａ、移動端末３００及び移動端末３９９は、当該装置としての機能を実現する上で必須な、図示しない或いは説明を省略した論理ブロック（電源部など）を備える場合があることに留意されたい。
【００３５】
（１）基地局
図２は、基地局１００Ａの機能ブロック構成図である。なお、基地局１００Ｂも基地局１００Ａと同様の機能ブロック構成を有する。
【００３６】
図２に示すように、基地局１００Ａは、ＲＦ部１１０、システム制御部１２０及びシステム記憶部１３０を備える。
【００３７】
ＲＦ部１１０は、移動端末３００及び移動端末３９９との間において、ＣＤＭＡにしたがった無線信号を送受信する。また、ＲＦ部１１０は、当該無線信号とベースバンド信号との変換を実行し、ベースバンド信号をシステム制御部１２０との間において送受信する。
【００３８】
システム制御部１２０は、基地局１００Ａが具備する各種機能を制御する。本実施形態に関するシステム制御部１２０のさらに詳細な機能ブロックについては後述する。
【００３９】
システム記憶部１３０は、基地局１００Ａにおける制御などにおいて用いられる各種情報を記憶する。本実施形態に関するシステム記憶部１３０のさらに詳細な機能ブロックについては後述する。
【００４０】
なお、Ｒｅｖ．０のみに対応した基地局２００Ａ，２００Ｂも、図２に示した基地局１００Ａとほぼ同様の機能ブロック構成を有する。また、基地局２００Ａ，２００Ｂを構成する各機能ブロックの詳細な説明は省略する。
【００４１】
（１．１）システム制御部１２０
図３は、システム制御部１２０の詳細機能ブロック構成図である。図３に示すように、システム制御部１２０は、データ通信部１２１、ハンドオフ判定部１２３、通信設定実行部１２５及びハンドオフ実行部１２７を備える。
【００４２】
データ通信部１２１は、画像コンテンツや音楽コンテンツなどのデータ通信に関する処理や、各種制御情報（例えば、RouteUpdateメッセージやT-CH Assignmentメッセージ）の送受信を実行する。
【００４３】
上述したように、基地局１００Ａは、Ｒｅｖ．０及びＲｅｖ．Ａに対応した基地局であり、上り方向：約１．８Ｍｂｐｓ、下り方向：約３．１Ｍｂｐｓのデータレートによってデータ通信を実行することができる。
【００４４】
また、本実施形態では、特に、データ通信部１２１は、データ通信に係る通信能力（例えば、ＱｏＳレベルやデータレート）が実行中のデータ通信とは異なる基地局も含め、ハンドオフ先候補基地局とするRouteUpdateメッセージ（候補基地局通知）を、当該データ通信を実行している移動端末（例えば、移動端末３００）から受信する。本実施形態において、データ通信部１２１は、候補基地局通知受信部を構成する。
【００４５】
また、データ通信部１２１は、ハンドオフ先候補基地局がサポートする通信能力に応じた通信設定への変更ができないことを示す変更拒否通知を移動端末３９９から受信することができる。本実施形態において、データ通信部１２１は、変更拒否通知受信部を構成する。
【００４６】
例えば、データ通信部１２１は、Ｒｅｖ．Ａのみに対応する移動端末３９９から、Ｒｅｖ．０のみをサポートする基地局２００Ａ及び基地局２００Ｂの通信能力に応じた通信設定に変更できないことを示す変更拒否通知を移動端末３９９から受信することができる。
【００４７】
ハンドオフ判定部１２３は、ＲＦ部１１０が送受信する無線信号の状態などに基づいて、基地局１００Ａと通信を実行している移動端末のハンドオフを実行するか否かを判定する。特に、本実施形態では、ハンドオフ判定部１２３は、通信能力が異なる基地局（例えば、基地局２００Ａ）がハンドオフ先候補基地局に含まれているか否かを判定することができる。本実施形態において、ハンドオフ判定部１２３は、基地局判定部を構成する。
【００４８】
通信設定実行部１２５は、移動端末及び基地局との間において実行されるＱｏＳレベル、データレート及び各種プロトコルなどを含む通信設定を実行する。
【００４９】
特に、本実施形態では、通信設定実行部１２５は、データ通信部１２１が受信したRouteUpdateメッセージに基づいて、移動端末（例えば、移動端末３００）との間において設定されている通信設定（ハンドオフ元通信設定）を、通信中の基地局（ハンドオフ元基地局）及びすべてのハンドオフ先候補基地局をサポートする通信能力に応じた通信設定に変更する。
【００５０】
例えば、Ｒｅｖ．０のみに対応する基地局２００Ａ及び基地局２００Ｂがハンドオフ先候補基地局として移動端末３００から通知された場合、通信設定実行部１２５は、すべてのハンドオフ先候補基地局がサポートする通信能力に応じた通信設定の内容として、最下位に位置するＲｅｖ．０にしたがったプロトコルやデータレートを決定する。なお、Ｒｅｖ．Ａは、Ｒｅｖ．０の通信方式を拡張したものであり、Ｒｅｖ．０の通信能力を有しているため、通信設定を変更することが可能である。
【００５１】
より具体的には、通信設定実行部１２５は、ハンドオフ先候補基地局を含むRouteUpdateメッセージ（候補基地局通知）を受信した場合、システム記憶部１３０（具体的には、後述する通信設定記憶部１３１）に記憶され、通信設定の内容を示すConfiguration（通信設定構成情報）に基づいて、ハンドオフ先候補基地局も考慮したConfigurationに変更する。なお、Configurationには、ＱｏＳ制御、データレート及びデータ通信に用いられるストリーム（steam protocol/virtual stream protocol）の割当などが含まれる。
【００５２】
また、通信設定実行部１２５は、ハンドオフ判定部１２３によって、通信能力が異なる基地局がハンドオフ先候補基地局に含まれなくなったと判定された場合、通信中の基地局（ハンドオフ元基地局）及びすべてのハンドオフ先候補基地局をサポートする通信能力に応じた通信設定として、基地局１００Ａがサポートする通信能力に応じた通信設定（ハンドオフ元通信設定）に戻すことができる。
【００５３】
ハンドオフ実行部１２７は、移動端末３００及び移動端末３９９とのハンドオフを実行する。また、本実施形態では、ハンドオフ実行部１２７は、データ通信部１２１が変更拒否通知を受信した場合、移動端末（例えば、移動端末３９９）のハンドオフ先候補基地局（例えば、基地局２００Ａ）へのハンドオフを拒否することができる。本実施形態において、ハンドオフ実行部１２７は、ハンドオフ拒否部を構成する。
【００５４】
（１．２）システム記憶部１３０
図４は、システム記憶部１３０の詳細機能ブロック構成図である。図３に示すように、システム記憶部１３０は、通信設定記憶部１３１、周辺基地局Revision記憶部１３３及びハンドオフ候補先基地局記憶部１３５を備える。
【００５５】
通信設定記憶部１３１は、通信能力に対応した通信設定を示すConfigurationを複数記憶する。本実施形態では、通信設定記憶部１３１は、Ｒｅｖ．０及びＲｅｖ．Ａ対応Configurationを記憶する。また、通信設定には、ＱｏＳ制御、データレート及びデータ通信に用いられるストリーム（steam protocol/virtual stream protocol）の割当などが含まれる。
【００５６】
周辺基地局Revision記憶部１３３は、基地局１００Ａの周辺に配置される基地局１００Ｂ，１００Ｂ，２００Ａ，２００Ｂが対応するRevision（Ｒｅｖ．０またはＲｅｖ．Ａ）を記憶する。
【００５７】
ハンドオフ候補先基地局記憶部１３５は、データ通信部１２１が受信したRouteUpdateメッセージに含まれるハンドオフ先候補基地局を記憶する。
【００５８】
（２）移動端末（移動端末３００）
図５は、移動端末３００の機能ブロック構成図である。なお、以下、上述した基地局１００Ａに備えられる機能ブロックと同様の機能を提供するブロックの説明については、適宜省略する。
【００５９】
図５に示すように、移動端末３００は、ＲＦ部３１０、システム制御部３２０、システム記憶部３３０、表示部３４０及びキー入力部３５０を備える。
【００６０】
ＲＦ部３１０、システム制御部３２０及びシステム記憶部３３０は、基地局１００ＡのＲＦ部１１０、システム制御部１２０及びシステム記憶部１３０とそれぞれ対応する。ＲＦ部３１０、システム制御部３２０、システム記憶部３３０は、ＲＦ部１１０、システム制御部１２０及びシステム記憶部１３０とそれぞれ同様の機能を提供する。
【００６１】
表示部３４０は、ＲＦ部３１０及びシステム制御部３２０を介して受信した画像コンテンツなどを表示したり、操作内容（入力電話番号やアドレスなど）を表示したりする。
【００６２】
キー入力部３５０は、テンキーやファンクションキーなどによって構成され、ユーザの操作内容を入力するために用いられるインタフェースである。
【００６３】
（２．１）システム制御部３２０
図６は、システム制御部３２０の詳細機能ブロック構成図である。図６に示すように、システム制御部３２０は、データ通信部３２１、ハンドオフ判定部３２３、通信設定実行部３２５及びハンドオフ実行部３２７を備える。
【００６４】
データ通信部３２１は、データ通信に係る通信能力が実行中のデータ通信とは異なる基地局も含め、ハンドオフ先候補基地局（例えば、基地局２００Ａ）とするRouteUpdateメッセージ（候補基地局通知）を、当該データ通信を実行しているハンドオフ元基地局（例えば、基地局１００Ａ）に送信する。本実施形態において、データ通信部３２１は、候補基地局通知送信部を構成する。
【００６５】
また、データ通信部３２１は、通信中の基地局（ハンドオフ元基地局）も含め、すべてのハンドオフ先候補基地局がサポートする通信能力に応じた通信設定への変更を要求する通信設定変更要求をハンドオフ元基地局から受信する。本実施形態において、データ通信部３２１は、要求受信部を構成する。
【００６６】
ハンドオフ判定部３２３は、ハンドオフ元基地局と通信能力が異なる基地局がハンドオフ先候補基地局に含まれているか否かを判定することができる。本実施形態において、ハンドオフ判定部３２３は、基地局判定部を構成する。
【００６７】
通信設定実行部３２５は、データ通信部３２１が受信したT-CH Assignmentメッセージに基づいて、ハンドオフ元基地局との間において設定されている通信設定（ハンドオフ元通信設定）を、ハンドオフ先候補基地局も考慮した通信設定に変更する。
【００６８】
具体的には、通信設定実行部３２５は、当該T-CH Assignmentメッセージを受信した場合、システム記憶部３３０（具体的には、通信設定記憶部３３１）に記憶されているConfigurationに基づいて、ハンドオフ先候補基地局も考慮して決定されたConfigurationに変更する。
【００６９】
また、通信設定実行部３２５は、ハンドオフ判定部３２３によって、ハンドオフ元基地局と通信能力が異なる基地局がハンドオフ先候補基地局に含まれなくなったと判定された場合、ハンドオフ元基地局と同一の通信能力を有するハンドオフ先候補基地局となるため、通信設定をハンドオフ元通信設定に戻すことができる。
【００７０】
ハンドオフ実行部３２７は、基地局（基地局１００Ａ，１００Ｂ，２００Ａ，２００Ｂ）とのハンドオフを実行する。
【００７１】
（２．２）システム記憶部３３０
図７は、システム記憶部３３０の詳細機能ブロック構成図である。図３に示すように、システム記憶部３３０は、通信設定記憶部３３１、ハンドオフ候補先基地局記憶部３３３及びハンドオフ閾値記憶部３３５を備える。
【００７２】
通信設定記憶部３３１は、通信能力に対応した通信設定を示すConfigurationを複数記憶する。
【００７３】
ハンドオフ候補先基地局記憶部３３３は、データ通信部３２１が受信したT-CH Assignmentメッセージに含まれるハンドオフ先候補基地局を記憶する。
【００７４】
ハンドオフ閾値記憶部３３５は、ハンドオフ先候補基地局へのハンドオフするか否かを判定するハンドオフ閾値（例えば、パイロット信号強度の閾値）を記憶する。
【００７５】
（３）移動端末（移動端末３９９）
移動端末３９９は、上述した移動端末３００と同様の機能ブロック構成（図５〜図７）備える。ただし、移動端末３９９は、Ｒｅｖ．Ａのみに対応する移動端末であるため、移動端末３００と機能が一部異なる。以下、移動端末３００と機能が異なる部分を主に、移動端末３９９の機能について説明する。
【００７６】
移動端末３９９の場合、データ通信部３２１は、ハンドオフ判定部３２３によってハンドオフ先の通信設定（具体的には、Ｒｅｖ．０）への変更ができないと判定された場合、当該通信設定への変更ができないことを示すAttribute Update Rejectメッセージ（変更拒否通知）をハンドオフ元基地局（例えば、基地局１００Ａ）に送信することができる。本実施形態において、データ通信部３２１は、変更拒否通知送信部を構成する。
【００７７】
また、移動端末３９９の場合、ハンドオフ判定部３２３は、データ通信部３２１が受信した通信設定変更要求に基づいて、ハンドオフ先の通信設定への変更ができるか否かを判定することができる
さらに、移動端末３９９の場合、ハンドオフ実行部３２７は、ハンドオフ判定部３２３によってハンドオフ先の通信設定への変更ができないと判定された場合、ハンドオフ先候補基地局（例えば、基地局２００Ａ）をハンドオフ先のサーチ対象から除外することができる。
【００７８】
（移動体通信システムの動作）
次に、上述した移動体通信システム１０の動作について説明する。具体的には、移動端末３００が、Ｒｅｖ．０及びＲｅｖ．Ａに対応する基地局１００Ａから、Ｒｅｖ．０のみに対応する基地局２００Ａにハンドオフする動作について説明する。
【００７９】
（１）概略通信シーケンス
図８は、移動端末３００の基地局１００Ａから基地局２００Ａへのハンドオフに関する概略通信シーケンス図である。図８に示すように、ステップＳ１０において、移動端末３００は、基地局１００Ａとの接続を要求するConnectionRequestメッセージ、及び移動端末３００がハンドオフ先の候補とする基地局を含むRouteUpdateメッセージを送信する。
【００８０】
ステップＳ２０において、基地局１００Ａは、基地局１００Ａとのデータ通信を許可するT-CH Assignmentメッセージを移動端末３００に送信する。
【００８１】
ステップＳ３０において、移動端末３００は、受信したT-CH Assignmentメッセージに基づいて、基地局１００Ａとの接続処理（例えば、T-CHの割当）を実行し、T-CH Completeメッセージを基地局１００Ａに送信する。
【００８２】
ステップＳ４０において、基地局１００Ａ及び移動端末３００は、Ｒｅｖ．Ａにしたがった通信設定を実行し、データ通信を開始する。具体的には、通信設定記憶部（通信設定記憶部１３１，通信設定記憶部３３１）に記憶されているＲｅｖ．ＡのConfigurationにしたがって通信設定を実行する。
【００８３】
ここで、データ通信を開始後、移動端末３００は、図１に示した位置Ｐ１に向けて移動したものとする。移動端末３００が位置Ｐ１に向けて移動すると、移動端末３００では、基地局２００Ａのパイロット信号強度の値が高くなる。
【００８４】
ステップＳ５０において、移動端末３００は、基地局２００Ａのパイロット信号強度が所定の閾値（閾値α）以上となったことを示すRouteUpdateメッセージを基地局１００Ａに送信する。
【００８５】
ステップＳ６０において、基地局１００Ａは、受信したRouteUpdateメッセージに基づいて、基地局２００Ａが通信可能か否かを判定する。さらに、基地局１００Ａは、基地局２００Ａへのハンドオフが可能なことを示すT-CH Assignmentメッセージを移動端末３００に送信する。
【００８６】
ステップＳ７０において、移動端末３００は、受信したT-CH Assignmentメッセージに基づいて、基地局２００Ａをハンドオフ先候補基地局とする処理を実行し、当該処理が完了したことを示すT-CH Completeメッセージを基地局１００Ａに送信する。
【００８７】
ステップＳ８０において、基地局１００Ａ及び移動端末３００は、通信を継続した状態において、Ｒｅｖ．ＡのConfigurationからＲｅｖ．０のConfigurationに変更する。すなわち、基地局１００Ａ及び移動端末３００は、移動端末３００が、Ｒｅｖ．０のみに対応する基地局２００Ａにハンドオフする可能性があることをステップＳ５０及びＳ６０の処理によって認識し、Ｒｅｖ．０のConfigurationに変更する。
【００８８】
ここで、移動端末３００は、図１に示した位置Ｐ１に向けてさらに移動したものとする。
【００８９】
ステップＳ９０Ａにおいて、移動端末３００は、基地局２００Ａのパイロット信号強度が、基地局１００Ａのパイロット信号強度よりも高くなったことに基づいて、基地局２００Ａにハンドオフすることを示すDRC cover:NULLを基地局１００Ａに送信する。また、ステップＳ９０Ｂにおいて、移動端末３００は、基地局１００Ａと同様に、当該DRC cover:NULLを基地局２００Ａに送信する。
【００９０】
ステップＳ１００において、基地局２００Ａ及び移動端末３００は、Ｒｅｖ．０にしたがった通信設定に基づいてデータ通信を開始する。ここで、移動端末３００は、図１に示した位置Ｐ１に向けてさらに移動したものとする。
【００９１】
ステップＳ１１０において、移動端末３００は、基地局１００Ａが送信するパイロット信号強度が所定の閾値を下回ったことを示すRouteUpdateメッセージを基地局２００Ａに送信する。
【００９２】
ステップＳ１２０において、基地局２００Ａは、受信したRouteUpdateメッセージに基づいて、基地局１００Ａをハンドオフ先候補基地局から除外すること指示するT-CH Assignmentメッセージを移動端末３００に送信する。
【００９３】
ステップＳ１３０において、移動端末３００は、受信したT-CH Assignmentメッセージに基づいて、基地局１００Ａをハンドオフ先候補基地局から除外する処理を実行し、当該処理が完了したことを示すT-CH Completeメッセージを基地局２００Ａに送信する。
【００９４】
ステップＳ１４０において、基地局２００Ａ及び移動端末３００は、基地局２００Ａ及び移動端末３００は、Ｒｅｖ．０にしたがったデータ通信を継続する。
【００９５】
（２）詳細動作フロー
次に、上述した通信シーケンスを実行する基地局１００Ａ及び移動端末３００の詳細動作フローについて説明する。ここでは、２種類の動作フロー（パターン１，２）について説明する。
【００９６】
（２．１）パターン１
図９は、パターン１に係る移動端末３００の詳細動作フロー図である。図９に示すように、ステップＳ２０１において、移動端末３００は、基地局１００Ａとデータ通信を開始する。
【００９７】
ステップＳ２０３において、移動端末３００は、基地局２００Ａのパイロット信号強度が閾値α以上か否かを判定する。
【００９８】
基地局２００Ａのパイロット信号強度が閾値α以上の場合（ステップＳ２０３のＹＥＳ）、ステップＳ２０５において、移動端末３００は、基地局２００Ａのパイロット信号強度が所定の閾値以上となったことを示すRouteUpdateメッセージを基地局１００Ａに送信する。
【００９９】
移動端末３００は、ステップＳ２０７において、基地局１００ＡよりＲｅｖ．０対応の通信設定への変更要求（通信設定変更要求）を受信すると、ステップＳ２０９において、Ｒｅｖ．０対応の通信設定への変更が可能か否かを判定する。
【０１００】
Ｒｅｖ．０対応の通信設定への変更が可能な場合（ステップＳ２０９のＹＥＳ）、ステップＳ２１１において、移動端末３００は、Ｒｅｖ．０対応の通信設定に変更する。
【０１０１】
具体的には、移動端末３００は、基地局１００Ａとの間において、Ｒｅｖ．０対応のConfigurationを決定し、当該Configurationにしたがった通信設定に変更する。
【０１０２】
ステップＳ２１３において、移動端末３００は、基地局２００Ａのパイロット信号強度が閾値β以上か否かを判定する。
【０１０３】
基地局２００Ａのパイロット信号強度が閾値β以上の場合（ステップＳ２１３のＹＥＳ）、ステップＳ２１５において、移動端末３００は、基地局２００Ａへのハンドオフを実行する。
【０１０４】
ステップＳ２１７において、移動端末３００は、Ｒｅｖ．０にしたがった通信設定に基づいて、基地局２００Ａとデータ通信を実行する。
【０１０５】
基地局２００Ａのパイロット信号強度が閾値βを下回る場合（ステップＳ２１３のＮＯ）、ステップＳ２１９において、移動端末３００は、基地局２００Ａのパイロット信号強度が閾値γ以下か否かを判定する。
【０１０６】
基地局２００Ａのパイロット信号強度が閾値γ以下の場合（ステップＳ２１９のＹＥＳ）、ステップＳ２２１において、移動端末３００は、基地局２００Ａのパイロット信号強度が閾値γ以下になったことを示すRouteUpdateメッセージを基地局１００Ａに送信する。
【０１０７】
なお、基地局２００Ａのパイロット信号強度が閾値αになった後、閾値γ以下になる例は、図１に一点鎖線で示すように、移動端末３００が一度基地局２００Ａに近づいた後、位置Ｐ２に向けて移動した場合である。
【０１０８】
基地局２００Ａのパイロット信号強度が閾値γを上回る場合（ステップＳ２１９のＮＯ）、移動端末３００は、ステップＳ２１３からの処理を繰り返す。
【０１０９】
図１０は、パターン１に係る基地局１００Ａの詳細動作フロー図である。図１０に示すように、ステップＳ３０１において、基地局１００Ａは、移動端末３００とデータ通信を開始する。
【０１１０】
ステップＳ３０３において、基地局１００Ａは、基地局２００Ａを含むRouteUpdateメッセージ、具体的には、基地局２００Ａのパイロット信号強度が閾値α以上となったことを示すRouteUpdateメッセージを受信したか否かを判定する。
【０１１１】
基地局２００Ａを含むRouteUpdateメッセージを受信した場合（ステップＳ３０３のＹＥＳ）、ステップＳ３０５において、基地局１００Ａは、基地局２００ＡがＲｅｖ．０のみに対応か否かを判定する。
【０１１２】
基地局２００ＡがＲｅｖ．０のみに対応する場合（ステップＳ３０５のＹＥＳ）、ステップＳ３０７において、基地局１００Ａは、Ｒｅｖ．０対応の通信設定への変更要求（通信設定変更要求）を移動端末３００に送信する。
【０１１３】
基地局２００ＡがＲｅｖ．０のみではなく、Ｒｅｖ．Ａにも対応する場合（ステップＳ３０５のＮＯ）、基地局１００Ａは、ステップＳ３１１の処理を実行する。
【０１１４】
ステップＳ３０９において、基地局１００Ａは、移動端末３００がＲｅｖ．０対応の通信設定への変更要求を受領したか否かを判定する。具体的には、基地局１００Ａは、当該変更要求に対応するメッセージ（例えば、Attribute Update Acceptメッセージ）を移動端末３００から受信したか否かによって、当該変更要求を受領したか否かを判定する。
【０１１５】
移動端末３００がＲｅｖ．０対応の通信設定への変更要求を受領した場合（ステップＳ３０９のＹＥＳ）、ステップＳ３１１において、基地局１００Ａは、基地局２００Ａへのハンドオフが可能なことを示すT-CH Assignmentメッセージを移動端末３００に送信する。
【０１１６】
移動端末３００がＲｅｖ．０対応の通信設定への変更要求を受領しない場合（ステップＳ３０９のＮＯ）、基地局１００Ａは、T-CH Assignmentメッセージを出さずに処理を終了する。
【０１１７】
ステップＳ３１３において、基地局１００Ａは、基地局２００Ａのパイロット信号強度が閾値γ以下になったことを示すRouteUpdateメッセージを基地局１００Ａから受信したか否かを判定する。
【０１１８】
当該RouteUpdateメッセージを受信した場合（ステップＳ３１３のＹＥＳ）、ステップＳ３１５において、基地局１００Ａは、基地局２００Ａをハンドオフ先候補基地局（Ｈ／Ｏ先候補基地局）から除外すること指示するT-CH Assignmentメッセージを移動端末３００に送信する。
【０１１９】
ステップＳ３１７において、基地局１００Ａは、ハンドオフ先候補基地局に、Ｒｅｖ．０のみに対応する他の基地局（基地局２００Ｂ）が含まれていないか否かを判定する。
【０１２０】
Ｒｅｖ．０のみに対応する他の基地局が含まれていない（ステップＳ３１７のＹＥＳ）、ステップＳ３１９において、基地局１００Ａは、Ｒｅｖ．Ａ対応の通信設定への変更要求を移動端末３００に送信する。
【０１２１】
Ｒｅｖ．０のみに対応する他の基地局が含まれている場合（ステップＳ３１７のＮＯ）、基地局１００Ａは、処理を終了する。
【０１２２】
（３）パターン２
図１１は、パターン２に係る移動端末３００の詳細動作フロー図である。上述したパターン１との相違点は、Ｒｅｖ．０及びＲｅｖ．Ａに対応する通信設定の内容（Configuration）を基地局１００Ａとの通信の開始前もしくは開始の際に決定することである。以下、上述したパターン１との相違点を主に説明する。
【０１２３】
図１１に示すステップＳ４０１〜Ｓ４２１の処理は、図９に示すステップＳ２０１〜Ｓ２２１の処理にそれぞれ対応する。
【０１２４】
ステップＳ４０１において、移動端末３００は、メイン通信設定（Ｒｅｖ．Ａ）にしたがって基地局１００Ａとデータ通信を開始する。ここで、基地局１００Ａ及び移動端末３００は、“メイン通信設定”としてＲｅｖ．Ａに対応する通信設定の内容（Configuration）を決定する。また、基地局１００Ａ及び移動端末３００は、“サブ通信設定”として、Ｒｅｖ．０に対応する通信設定の内容（Configuration）を決定する。
【０１２５】
ステップＳ４０７において、移動端末３００は、サブ通信設定（Ｒｅｖ．０）への変更要求を受信したか否かを判定する。
【０１２６】
ステップＳ４１１において、移動端末３００は、サブ通信設定に変更する。また、ステップＳ４１７において、移動端末３００は、サブ通信設定に基づいて、基地局２００Ａとデータ通信を実行する。
【０１２７】
図１２は、パターン２に係る基地局１００Ａの詳細動作フロー図である。図１２に示すステップＳ５０１〜Ｓ５１９の処理は、図１０に示すステップＳ３０１〜Ｓ３１９の処理にそれぞれ対応する。
【０１２８】
ステップＳ５０１において、基地局１００Ａは、メイン通信設定（Ｒｅｖ．Ａ）にしたがって移動端末３００とデータ通信を開始する。
【０１２９】
ここで、基地局１００Ａ及び移動端末３００は、“メイン通信設定”としてＲｅｖ．Ａに対応する通信設定の内容（Configuration）を決定する。また、基地局１００Ａ及び移動端末３００は、“サブ通信設定”として、Ｒｅｖ．０に対応する通信設定の内容（Configuration）を決定する。
【０１３０】
ステップＳ５０７において、基地局１００Ａは、サブ通信設定（Ｒｅｖ．０）への変更要求を移動端末３００に送信する。
【０１３１】
ステップＳ５１９において、基地局１００Ａは、メイン通信設定（Ｒｅｖ．Ａ）への変更要求を移動端末３００に送信する。
【０１３２】
（４）変更例
上述した図９及び図１０は、Ｒｅｖ．０及びＲｅｖ．Ａに対応する移動端末３００を用いた場合の詳細動作フローであったが、移動端末３９９の場合、概ね以下のように動作する。
【０１３３】
移動端末３９９の詳細動作フローでは、図９に示した移動端末３００の詳細フローからステップＳ２１１以降の処理が割愛される。つまり、移動端末３９９は、Ｒｅｖ．Ａのみに対応し、基地局２００Ａへのハンドオフを実行することができないため、ステップＳ２０９の処理において、“ＮＯ”に分岐する。
【０１３４】
その後、図１３（ａ）に示すように、ステップＳ２０９の“ＮＯ”の分岐に続くステップＳ２１０において、移動端末３９９は、Ｒｅｖ．０対応の通信設定への変更拒否通知（Attribute Update Rejectメッセージ）を基地局１００Ａに送信し、処理を終了する。
【０１３５】
また、移動端末３９９は、当該Ｈ／Ｏ先候補基地局をハンドオフ先のサーチ対象から除外してもよい。
【０１３６】
また、基地局１００Ａの詳細動作フローでは、図１０に示した基地局１００Ａの詳細フローからステップＳ３１１以降の処理が割愛される。一方、図１３（ｂ）に示すように、ステップＳ３０９の“ＮＯ”の分岐に続くステップＳ３１０において、基地局１００Ａは、移動端末３９９から送信された変更拒否通知に基づいて、移動端末３９９の当該Ｈ／Ｏ先候補基地局（基地局２００Ａ）へのハンドオフを拒否するように設定し、処理を終了する。
【０１３７】
（作用・効果）
以上説明した本実施形態に係る移動体通信システム１０によれば、Ｒｅｖ．０のみに対応する基地局２００Ａや基地局２００Ｂのパイロット信号強度が閾値α以上となったことを示すRouteUpdateメッセージ（候補基地局通知）に基づいて、通信中の基地局（ハンドオフ元基地局）及びすべてのハンドオフ先候補基地局がサポートする通信能力に応じた通信設定、つまり、本実施形態ではＲｅｖ．０対応の通信設定に変更される。
【０１３８】
すなわち、Ｒｅｖ．Ａに対応するハンドオフ元基地局（例えば、基地局１００Ａ）とのデータ通信の実行中に、Ｒｅｖ．０対応の通信設定に変更されることとなる。このため、当該変更後にＲｅｖ．０のみをサポートする基地局へのハンドオフを実行したとしても、実行中のデータ通信が切断されたり、通信設定をやり直したりすることを回避できる。
【０１３９】
つまり、ハンドオフ時の通信の切断時間が長くなるといった問題を解決することができる。なお、Ｒｅｖ．Ａでは、移動端末３００が、待ち受け状態やデータ通信の実行状態にかかわらず、常時通信設定の内容（Configuration）を変更することができるため、実行中のデータ通信が切断されたり、通信設定をやり直したりすることを回避できるのである。
【０１４０】
移動体通信システム１０によれば、メイン通信設定をＲｅｖ．Ａ対応の通信設定とし、サブ通信設定をＲｅｖ．０対応の通信設定として、通信設定の内容をデータ通信の開始時に決定しておくことができる。このため、ハンドオフ時における処理負荷の集中を回避することができる。
【０１４１】
また、Ｒｅｖ．Ａのみに対応する移動端末３９９は、変更拒否通知を送信することができる。Ｒｅｖ．０及びＲｅｖ．Ａに対応する基地局（例えば、基地局１００Ａ）は、当該変更拒否通知に基づいて、移動端末３９９がＲｅｖ．０のみに対応するハンドオフ先候補基地局（例えば、基地局２００Ａ）へのハンドオフを拒否するように設定することができる。
【０１４２】
このため、移動端末３９９がＲｅｖ．０のみに対応するハンドオフ先候補基地局とデータ通信を実行することができないにもかかわらず、移動端末３９９が当該ハンドオフ先候補基地局へのハンドオフを実行してしまうことを回避できる。
【０１４３】
また、移動体通信システム１０によれば、Ｒｅｖ．０のみに対応するハンドオフ先候補基地局（例えば、基地局２００Ａ）がハンドオフ先候補基地局に含まれなくなった場合、Ｒｅｖ．Ａ対応の通信設定に速やかに戻される。このため、ハンドオフ時の通信の切断時間が長くなるといった問題を解決しつつ、Ｒｅｖ．Ａによるデータ通信を実行できる確率を高めることができる。
【０１４４】
（その他の実施形態）
上述したように、本発明の一実施形態を通じて本発明の内容を開示したが、この開示の一部をなす論述及び図面は、本発明を限定するものであると理解すべきではない。この開示から当業者には様々な代替実施の形態が明らかとなろう。
【０１４５】
例えば、上述した本発明の実施形態では、RouteUpdateメッセージ及びT-CH Assignmentメッセージを用いて、ハンドオフ先候補基地局に関する情報を送受信する形態としたが、当該情報の送受信に用いられるメッセージの種別は、RouteUpdateメッセージやT-CH Assignmentメッセージでなくても構わない。
【０１４６】
また、上述したシステム制御部１２０及びシステム制御部３２０の機能は、通信装置やコンピュータにおいて実行可能なプログラムとしても提供することができる。
【０１４７】
このように、本発明は、ここでは記載していない様々な実施の形態などを含むことは勿論である。したがって、本発明の技術的範囲は、上述の説明から妥当な特許請求の範囲に係る発明特定事項によってのみ定められるものである。
【図面の簡単な説明】
【０１４８】
【図１】本発明の実施形態に係る移動体通信システムの全体概略構成図である。
【図２】本発明の実施形態に係る基地局の機能ブロック構成図である。
【図３】本発明の実施形態に係る基地局のシステム制御部の詳細機能ブロック構成図である。
【図４】本発明の実施形態に係る基地局のシステム記憶部の詳細機能ブロック構成図
【図５】本発明の実施形態に係る移動端末の機能ブロック構成図である。
【図６】本発明の実施形態に係る移動端末のシステム制御部の詳細機能ブロック構成図である。
【図７】本発明の実施形態に係る移動端末のシステム記憶部の詳細機能ブロック構成図である。
【図８】本発明の実施形態に係る移動端末のハンドオフに関する概略通信シーケンス図である。
【図９】本発明の実施形態に係る移動端末の詳細動作フロー図（パターン１）である。
【図１０】本発明の実施形態に係る基地局の詳細動作フロー図（パターン１）である。
【図１１】本発明の実施形態に係る移動端末の詳細動作フロー図（パターン２）である。
【図１２】本発明の実施形態に係る基地局の詳細動作フロー図（パターン２）である。
【図１３】本発明の変更例に係る移動端末及び基地局の動作フロー図（一部）である。
【符号の説明】
【０１４９】
１０…移動体通信システム、１００Ａ，１００Ｂ，…基地局、１１０…ＲＦ部、１２０…システム制御部、１２１…データ通信部、１２３…ハンドオフ判定部、１２５…通信設定実行部、１２７…ハンドオフ実行部、１３０…システム記憶部、１３１…通信設定記憶部、１３３…周辺基地局Revision記憶部、１３５…ハンドオフ候補先基地局記憶部、２００Ａ，２００Ｂ…基地局、３００…移動端末、３１０…ＲＦ部、３２０…システム制御部、３２１…データ通信部、３２３…ハンドオフ判定部、３２５…通信設定実行部、３２７…ハンドオフ実行部、３３０…システム記憶部、３３１…通信設定記憶部、３３３…ハンドオフ候補先基地局記憶部、３３５…ハンドオフ閾値記憶部、３４０…表示部、３５０…キー入力部、３９９…移動端末、Ｃ１００Ａ，Ｃ１００Ｂ，Ｃ２００Ａ，Ｃ２００Ｂ…セル
【図１】
0004711809.tif 000002
【図２】
0004711809.tif 000003
【図３】
0004711809.tif 000004
【図４】
0004711809.tif 000005
【図５】
0004711809.tif 000006
【図６】
0004711809.tif 000007
【図７】
0004711809.tif 000008
【図８】
0004711809.tif 000009
【図９】
0004711809.tif 000010
【図１０】
0004711809.tif 000011
【図１１】
0004711809.tif 000012
【図１２】
0004711809.tif 000013
【図１３】
0004711809.tif 000014